(57)【特許請求の範囲】
【請求項１】
ＩＰネットワークを介して接続されたユーザ端末の、ＩＰ電話通信に関する通話履歴情報を記憶する発着信履歴記憶部と、
ＩＰ電話通信の契約者の契約電話番号を含む情報を、電話帳情報として記憶する電話帳情報記憶部と、
電話番号検索元のユーザ端末から指定された検索条件に該当する電話番号を前記電話帳情報から抽出し、抽出したそれぞれの電話番号の、前記通話履歴情報に関する数を、前記電話番号検索元のユーザ端末の発信元電話番号に基づいて計数し、前記抽出した各電話番号とそれぞれ該当する前記通話履歴情報に関する数とを対応づけた情報を検索結果として生成する結果情報生成部と
を備えることを特徴とする電話番号検索装置。
【請求項２】
前記電話番号検索元のユーザ端末は、当該電話番号検索元のユーザ端末の発信元電話番号が記憶された宅内装置を介して前記ＩＰネットワークに接続され、
前記結果情報生成部で利用される電話番号検索元のユーザ端末の発信元電話番号は、前記電話番号検索元のユーザ端末により前記宅内装置から取得された電話番号である
ことを特徴とする請求項１に記載の電話番号検索装置。
【請求項３】
前記結果情報生成部では、前記電話帳情報から抽出した電話番号のうち、前記電話番号検索元のユーザ端末の発信元電話番号に所定桁数以上一致する電話番号を抽出し、前記検索結果の生成に利用する
ことを特徴とする請求項１または２に記載の電話番号検索装置。
【請求項４】
ユーザ端末に接続された宅内装置と、電話番号検索装置とが、ＩＰネットワークを介して接続された電話番号検索システムにおいて、
前記宅内装置は、
前記ユーザ端末に関するＩＰ電話通信に関し、少なくとも発信先情報を含む通話履歴情報を収集して前記電話番号検索装置に送信する通信部を有し、
前記電話番号検索装置は、
前記宅内装置から受信した、前記ユーザ端末の、ＩＰ電話通信に関する前記通話履歴情報を記憶する発着信履歴記憶部と、
ＩＰ電話通信の契約者の契約電話番号を含む情報を、電話帳情報として記憶する電話帳情報記憶部と、
電話番号検索元のユーザ端末から指定された検索条件に該当する電話番号を前記電話帳情報から抽出し、抽出したそれぞれの電話番号の、前記通話履歴情報に関する数を、前記電話番号検索元のユーザ端末の発信元電話番号に基づいて計数し、前記抽出した各電話番号とそれぞれ該当する前記通話履歴情報に関する数とを対応づけた情報を検索結果として生成する結果情報生成部と、
生成した前記検索結果を、前記宅内装置を介して前記ユーザ端末に送信する通信部と
を有することを特徴とする電話番号検索システム。
【請求項５】
前記宅内装置は、前記電話番号検索元のユーザ端末の発信元電話番号が記憶された記憶部を有し、
前記電話番号検索装置の結果情報生成部で利用される電話番号検索元のユーザ端末の発信元電話番号は、前記宅内装置の記憶部から取得した発信元電話番号である
ことを特徴とする請求項４に記載の電話番号検索システム。
【請求項６】
請求項１〜３のいずれか１項に記載の電話番号検索装置を、コンピュータで構成するための電話番号検索用プログラム。
【発明の詳細な説明】
【技術分野】
【０００１】
本発明は、ネットワーク上で共有される電話帳情報から所望の条件に該当する電話番号を検索して提供する電話番号検索装置、電話番号検索システム、および電話番号検索用プログラムに関する。
【背景技術】
【０００２】
従来、ＩＣＴ（Information and Communication Technology）技術やネットワーク技術の普及に伴ってＩＰ電話の機能も高度化しており、ＩＰ電話の発着信に、ネットワーク上で共有可能な電話帳情報が効果的に利用されるようになっている。
【０００３】
電話帳情報そのものの目的はお店の名称等からその連絡先である電話番号を提供することであるが、ネットワーク上で共有可能な電話帳情報を利用することにより電話番号の提供だけではなく、地図情報サイトと連携して店舗の位置情報を提供したり、ユーザの口コミ等による店舗評価サイトと連携してお店の評価情報を提供したりするサービスが可能である。
【０００４】
このようなネットワーク上の電話帳情報により、例えば非特許文献１に提示されているような飲食店の検索サイトにおいて、ユーザにより選択された場所や評判ランクの情報に基づいて情報を絞り込み、該当する店舗の名称および電話番号を提示するサービスが一般的に提供されている。
【０００５】
また、携帯電話に搭載されたＧＰＳ機能により取得されたユーザの位置情報に基づいて、ネットワーク上で共有可能な電話帳情報から当該位置周辺の飲食店を検索し、該当する飲食店の名称および電話番号を評価情報とともに提示するサービスも既に提供されている。
【０００６】
これらのサービスを利用することにより、ユーザは所望の位置情報や評価情報に基づいて検索した店舗の電話番号を知ることができる。
【先行技術文献】
【非特許文献】
【０００７】
【非特許文献１】http://www.gnavi.co.jp/
【非特許文献２】http://itp.ne.jp/
【発明の概要】
【発明が解決しようとする課題】
【０００８】
しかしこのような飲食店の検索サイトにおいては、飲食店の店名や情報を検索し、検索結果から携帯電話により発信することも可能であるが、検索エリア等の位置情報に関してはユーザが都度入力しなければならず、手間がかかるという問題があった。
【０００９】
またＧＰＳ機能を利用する技術においては、ＧＰＳ機能を有していない端末、例えば固定電話や、ＧＰＳ電波が届かない宅内で利用する際には当該サービスが利用できないという問題があった。
【００１０】
また店舗評価サイトにおける口コミ情報では恣意的な操作が可能であり、当該電話番号の店舗に対する信頼性を適正に反映しているとは言い難い。例えば、実際には口コミ情報を発信していなくても、ステルスマーケティングといった手法により評判を上げることは可能であり信憑性が低い場合があるという問題があった。
【００１１】
また、位置情報を利用した他の電話番号提供サービスとして、非特許文献２に提示されたような電話帳サイトがある。この電話帳サイトでは、職業等のキーワードと所望の位置情報とを基に電話番号を検索することができるが、やはり位置情報についてはユーザが地図情報等を用いて入力していく必要があり、手間がかかるという問題があった。
【００１２】
一方、近年高度化しているスマートフォンにおいては、口コミサイトによるお店の評判のようなバックボーン情報の提供だけではなく、シンプルに電話番号について善し悪しを共有するネットワーク電話帳情報を利用したサービスも存在する。
【００１３】
このサービスでは、ネットワーク上で共有している電話帳情報を利用し、発着信時に相手先の電話番号に関する他のユーザの評価を表示させる。これにより、電話番号に対する評価を確認することができ、電話の発着信の相手先に関する信頼度を判断することが可能になる。
【００１４】
このように電話番号を検索するためのアプリケーションまたは電話番号をキーとしたアプリケーションは多々あるものの、ユーザの煩雑な操作なく、位置情報を考慮した信憑性の高い付加情報を得ることができないという問題があった。
【００１５】
そこで本発明は、ネットワーク上の電話帳情報を利用してユーザの指示に基づいて電話番号検索を行う際に、ユーザによる煩雑な操作なく、発信先に関する信頼性の高い評価情報を併せて提供可能な電話番号検索装置、電話番号検索システム、および電話番号検索用プログラムを提供することを目的とする。
【課題を解決するための手段】
【００１６】
上記の課題を解決するための、本発明の電話番号検索装置は、ＩＰネットワークを介して接続されたユーザ端末の、ＩＰ電話通信に関する通話履歴情報を記憶する発着信履歴記憶部と、ＩＰ電話通信の契約者の契約電話番号を含む情報を、電話帳情報として記憶する電話帳情報記憶部と、電話番号検索元のユーザ端末から指定された検索条件に該当する電話番号を前記電話帳情報から抽出し、抽出したそれぞれの電話番号の、前記通話履歴情報に関する数を、前記電話番号検索元のユーザ端末の発信元電話番号に基づいて計数し、前記抽出した各電話番号とそれぞれ該当する前記通話履歴情報に関する数とを対応づけた情報を検索結果として生成する結果情報生成部とを備えることを特徴とする。
【００１７】
また本発明の電話番号検索システムは、ユーザ端末に接続された宅内装置と、電話番号検索装置とが、ＩＰネットワークを介して接続された電話番号検索システムにおいて、前記宅内装置は、前記ユーザ端末に関するＩＰ電話通信に関し、少なくとも発信先情報を含む通話履歴情報を収集して前記電話番号検索装置に送信する通信部を有し、前記電話番号検索装置は、前記宅内装置から受信した、前記ユーザ端末の、ＩＰ電話通信に関する前記通話履歴情報を記憶する発着信履歴記憶部と、ＩＰ電話通信の契約者の契約電話番号を含む情報を、電話帳情報として記憶する電話帳情報記憶部と、電話番号検索元のユーザ端末から指定された検索条件に該当する電話番号を前記電話帳情報から抽出し、抽出したそれぞれの電話番号の、前記通話履歴情報に関する数を、前記電話番号検索元のユーザ端末の発信元電話番号に基づいて計数し、前記抽出した各電話番号とそれぞれ該当する前記通話履歴情報に関する数とを対応づけた情報を検索結果として生成する結果情報生成部と、生成した前記検索結果を、前記宅内装置を介して前記ユーザ端末に送信する通信部とを有することを特徴とする。
【００１８】
また本発明の電話番号検索用プログラムは、上記の電話番号検索装置を、コンピュータで構成するためのものであることを特徴とする。
【発明の効果】
【００１９】
本発明の電話番号検索装置、電話番号検索システム、および電話番号検索用プログラムによれば、ネットワーク上の電話帳情報を利用してユーザの指示に基づいて電話番号検索を行う際に、ユーザによる煩雑な操作なく、発信先に関する信頼性の高い評価情報を併せて提供することが可能になる。
【図面の簡単な説明】
【００２０】
【図１】本発明の第１実施形態による電話番号検索システムの構成を示す全体図である。
【図２】本発明の第１実施形態による電話番号検索システムの動作を示すシーケンス図である。
【図３】本発明の第１実施形態による電話番号検索システムの電話番号検索サーバに記憶されるは着信履歴情報の一例である。
【図４】本発明の第１実施形態による電話番号検索システムの電話番号検索サーバで検索条件に基づいて抽出された電話番号の、発信ログを抽出するときの指示情報の一例を示す説明図である。
【図５】本発明の第２実施形態による電話番号検索システムの動作を示すシーケンス図である。
【図６】本発明の第２実施形態による電話番号検索システムのユーザ端末で宅内装置からＤＨＣＰにより取得される情報の一例である。
【図７】本発明の第２実施形態による電話番号検索システムのユーザ端末で宅内装置からＨＴＴＰにより取得される情報の一例である。
【図８】本発明の第２実施形態による電話番号検索システムの電話番号検索サーバにおいて、検索条件に基づいて抽出された電話番号と検索元電話番号との突合せが実行されるときの状態を示す説明図である。
【図９】本発明の第２実施形態による電話番号検索システムの電話番号検索サーバで出力される結果情報の一例を示す表である。
【発明を実施するための形態】
【００２１】
《第１実施形態》
〈第１実施形態による電話番号検索システムの構成〉
本発明の第１実施形態による電話番号検索システムの構成について、図１を参照して説明する。
【００２２】
本実施携帯による電話番号検索システム１は、ユーザ端末１０と、ユーザ端末１０が接続された宅内装置２０と、宅内装置２０にＩＰネットワーク３０を介して接続された電話番号検索サーバ４０とを備える。図１においては、宅内装置２０およびユーザ端末１０が１台の場合について示しているが、ＩＰネットワーク３０には複数の宅内装置２０が接続可能であり、また宅内装置２０には複数のユーザ端末１０が接続可能である。
【００２３】
ユーザ端末１０はユーザにより利用されるスマートフォン等の携帯端末や、パーソナルコンピュータ、またはタブレット端末などであり、ユーザによる操作を入力し、またユーザに提示する情報を出力するインタフェース部１１と、ＩＰ電話通信処理を行うＩＰ電話機能部１２と、宅内装置２０を介してＷｅｂ情報の要求処理および取得処理を行うブラウザ機能部１３とを有する。
【００２４】
宅内装置２０は、例えばユーザ端末１０が利用される家内に設置されたホームゲートウェイ（ＨＧＷ）であり、ユーザ端末１０に関するＩＰ電話通信の発着信処理を行うＩＰ電話アダプタ機能部２１と、ユーザ端末１０とＩＰネットワーク３０との間のＩＰ電話通信処理およびＷｅｂ情報等の通信処理を行う第１ネットワーク通信部２２と、ＩＰ電話アダプタ機能部２１により発着信処理されたＩＰ電話通信に関するログを記憶するログ情報記憶部２３とを有する。
【００２５】
電話番号検索サーバ４０は、ネット電話帳情報記憶部４１と、第２ネットワーク通信部４２と、発着信履歴記憶部４３と、結果情報生成部４４とを有する。
【００２６】
ネット電話帳情報記憶部４１は、ＩＰネットワーク３０上のユーザに共用で利用される、各ユーザの契約に関する情報が格納されたネット電話帳情報を記憶する。ネット電話帳情報には、既存の技術で利用されているように、契約電話番号、契約電話番号の所持者（契約者）や広告主、所持者や広告主の職業ジャンル、契約者の氏名、および住所等の情報が含まれている。
【００２７】
第２ネットワーク通信部４２は、ＩＰネットワーク３０との情報通信処理を行う。
【００２８】
発着信履歴記憶部４３は、第２ネットワーク通信部４２を介して取得した、各ユーザ端末のＩＰ電話通信に関するログ（履歴）情報を発着信履歴情報として記憶する。
【００２９】
結果情報生成部４４は、第２ネットワーク通信部４２を介して電話番号検索元としてのユーザ端末１０から指定された検索条件に該当する電話番号をネット電話帳情報記憶部４１から抽出し、抽出したそれぞれの電話番号が、発信先と一致するログ情報の数を計数し、計数した結果、つまり当該電話番号を発信先とした電話履歴数（ログ情報数）を、電話番号情報に対応した情報を生成する。
【００３０】
〈一実施形態による電話番号検索システムの動作〉
次に、本実施形態による電話番号検索システム１の動作について、図２〜４を参照して説明する。
【００３１】
本実施形態において、ユーザによりユーザ端末１０のインタフェース部１１が操作されＩＰ電話機能部１２からＩＰ電話通信の発信要求が行われると、宅内装置２０のＩＰ電話アダプタ機能部２１で発信処理が実行され、第１ネットワーク通信部２２、ＩＰネットワーク３０を介して他の電話端末（図示せず）との電話通信が実行される。また他の電話端末からＩＰネットワーク３０を介してユーザ端末１０宛てにＩＰ電話通信の着信があると、宅内装置２０の第１ネットワーク通信部２２で受信され、ＩＰ電話アダプタ機能部２１で着信処理が実行されてユーザ端末１０のＩＰ電話機能部１２により着信される。
【００３２】
このようにユーザ端末１０に関して宅内装置２０のＩＰ電話アダプタ機能部２１で発着信処理が実行されると、これらの発着信に関するログ情報がログ情報記憶部２３に記憶される（Ｓ１）。
【００３３】
ここで記憶されるログ情報はＩＰ電話のＳＩＰのログが基準となり、例えばある通話の開始に関する情報として、『発信先情報［To:046-859-aaaa］、発信元情報［From:046-859-bbbb］、通話開始時刻情報［開始時刻：2012年3月20日  12:15:07］』が記憶され、またこの通話の終了に関する情報として、『発信先情報［To:046-859-aaaa］、発信元情報［From:046-859-bbbb］、通話終了時刻情報［終了時刻：2012年3月20日  12:20:30が記憶される。
【００３４】
電話発着信のログ情報については電話網の交換機でも取得可能であるが、公開される可能性は少ないことから、本実施形態においてはＩＰ電話アダプタ機能を備えた宅内装置２０で発着信のログ情報を取得し、電話番号検索サーバ４０に送信する場合を想定する。既に汎用されているＩＰ電話用アダプタ／ルータには発着信のログ情報収集機能、およびサーバとのネットワークを介した通信機能は搭載されており、本実施形態においてもこれらを利用することができる。
【００３５】
ログ情報記憶部２３に記憶されたログ情報は定期的に収集され、第１ネットワーク通信部２２からＩＰネットワーク３０を介して電話番号検索サーバ４０に送信される（Ｓ２）。
【００３６】
電話番号検索サーバ４０では、宅内装置２０から送信されたログ情報が第２ネットワーク通信部４２から受信され、発着信履歴記憶部４３に記憶される。この際、一の通話に関する開始の情報および終了の情報がセットで収集され、発着信履歴情報として記憶される（Ｓ３）。
【００３７】
電話番号検索サーバ４０の発着信履歴記憶部４３に記憶された発着信履歴情報の一例を、図３に示す。図３は、上述したログ情報の例の、一の通話の開始および終了に関する発着信履歴情報を示しており、発信先情報、発信元情報、通話開始時刻情報、および通話終了時刻情報が一セットで格納されている。発着信履歴情報の実際の格納にあたってはデータベースを利用するため、図３の形式には限定されず、ＸＭＬ形式等で格納してもよい。
【００３８】
このように電話番号検索サーバ４０に発着信履歴情報が記憶された状態で、電話番号検索元としてのユーザ端末１０のインタフェース部１１からユーザの操作によりブラウザ機能部１３が利用され、ＩＰ電話発信先検索のための検索条件として、検索キーワードが入力される（Ｓ４）。本実施形態においては、検索キーワードとして職業ジャンルの一つが入力されたものとする。
【００３９】
次に、この検索キーワードに基づいてインタフェース部１１で検索要求操作が行われると、この入力された情報を含む検索要求が宅内装置２０を介して電話番号検索サーバ４０に送信される（Ｓ５）。
【００４０】
電話番号検索サーバ４０では、受信された検索要求が第２ネットワーク通信部４２を介して結果情報生成部４４で取得される。結果情報生成部４４では、当該検索要求に含まれる職業ジャンルに合致する複数の電話番号がネット電話帳情報記憶部４１から抽出され（Ｓ６）、さらに発着信履歴記憶部４３に記憶された発着信履歴情報が参照されて、抽出された各電話番号を発信先とする発信ログ情報の数が計数される（Ｓ７）。
【００４１】
そして、計数した結果、つまり検索結果として抽出された各電話番号を発信先とした電話発信ログ情報の数を、該当する電話番号情報に対応させた一覧表情報が結果情報生成部４４で生成され、宅内装置２０を介してユーザ端末１０に送信される（Ｓ８）。
【００４２】
ユーザ端末１０では、受信された検索結果情報が、ブラウザ機能部１３によりインタフェース部１１から出力される（Ｓ９）。
【００４３】
ここで、さらにユーザが検索条件を追加（例えば地域情報を指定等）することにより、検索結果として表示される電話番号の件数を絞り込むようにしてもよい。また、検索条件として最初から地域情報（同一の市外局番、市内局番等）を指定し、これに該当するすべての電話番号と、各電話番号を発信先とした電話発信ログの回数とを表示するようにしてもよい。この場合は他のジャンルが指定されておらず膨大な数の登録電話番号が表示されることになる。
【００４４】
ステップＳ６で抽出された複数の電話番号のうち、電話番号「046-859-aaaa」を発信先とした電話発信ログの数を計数するときの例を、図４に示す。
【００４５】
図４は、発着信履歴記憶部４３に記憶されたログ情報の中から、発信先（例えばタグ＜To＞＜/To＞で囲まれた電話番号）が、電話番号「046-859-aaaa」（例えばタグ＜netnumber＞＜/netnember＞で囲まれた電話番号）に一致する情報を抽出したときの結果であり、４個のログ情報が抽出されたことを示している。
【００４６】
このように発信ログ情報が抽出されたことにより、当該電話番号「046-859-aaaa」を発信先とする発信履歴数が４個として、ユーザ端末１０に結果が表示される。ステップＳ６において抽出された他の電話番号についても同様に発信履歴数が計数され、検索結果の一覧表として表示される。この一覧表の表示により、発信数が少ないものよりは、発信数が多いものの方が少なくともネット電話帳に掲載の電話場号がアクティブに利用されることを示すことができ、ユーザが発信先を選択する材料として提供することができる。
【００４７】
ユーザは、表示された、所望のキーワードに該当する複数の電話番号の一覧表の中から、それぞれ発信先として利用された発信履歴数に基づいて各電話番号の信頼性を判断することができる。つまり、検索により抽出された各電話番号に対してどれだけ発信が行われているかを知ることができ、発信先として多く利用されている電話番号を信頼性が高い番号であると予測して参考にし、発信する相手を選択することができる。
【００４８】
ユーザにより一覧表が参照され、発信先としての電話番号が選択されると、ＩＰ電話機能部１２により発信が要求され、宅内装置のＩＰ電話アダプタ機能部２１で発信処理が実行されて、第１ネットワーク通信部２２、ＩＰネットワーク３０を介して当該発信先の電話端末（図示せず）へ発呼される。
【００４９】
以上の本実施形態によれば、ネットワーク上の電話帳情報を利用してユーザの指示に基づいて電話番号検索を行う際に、検索により抽出された発信先に関し、当該ユーザ自身だけではなく他人も含めて通話先としての利用数をユーザによる煩雑な操作なく知ることができ、信頼性の高い客観的な評価情報を提供することが可能になる。
【００５０】
《第２実施形態》
本発明の第２実施形態では、電話番号検索処理を実行する際に、検索元のユーザ端末の位置情報も考慮して、検索結果情報を取得する場合について説明する。
【００５１】
一般に利用されているＯＡＢＪと呼ばれる番号体系は、市外局番、市内局番とから構成されており、電話番号どうしが類似の市外局番、市内局番であれば、相対的に地理的に近隣であると予測可能であることを利用したものである。
【００５２】
〈第２実施形態による電話番号検索システムの構成〉
本実施形態による電話番号検索システム２の構成は、第１実施形態による電話番号検索システム１の構成と同様であるため、同一機能を有する部分についての詳細な説明は省略する。
【００５３】
本実施形態においてユーザ端末１０のブラウザ機能部１３は、インタフェース部１１から検索要求が入力されると、宅内装置２０に記憶されている当該ユーザ端末１０の発信元電話番号を取得し、入力された検索条件とともに検索要求を電話番号検索サーバ４０宛てに送信する。
【００５４】
宅内装置２０のＩＰ電話アダプタ機能部２１は、ユーザ端末１０からＩＰ電話発信を行う際の発信元電話番号を記憶し、ユーザ端末１０からの要求に応答して当該発信元電話番号を送出する。
【００５５】
電話番号検索サーバ４０の結果情報生成部４４は、第２ネットワーク通信部４２を介してユーザ端末１０から指定された検索条件に該当する電話番号をネット電話帳情報記憶部４１から抽出する。そして、抽出したそれぞれの電話番号に関し、ユーザ端末１０から取得した発信元電話番号に基づいて所定の条件でログ情報の数を集計し、電話番号情報に対応して表示させるための表示情報を生成する。
【００５６】
〈第２実施形態による電話番号検索システムの動作〉
次に、本実施形態による電話番号検索システム１の動作について、図５のシーケンス図を参照して説明する。
【００５７】
本実施形態において、ステップＳ１１〜ステップ１４の処理は、第１実施形態において説明したステップＳ１〜Ｓ４の処理と同様であるため、詳細な説明は省略する。
【００５８】
本実施形態においては、ステップＳ１４において検索キーワードとして「宅配ピザ」が入力されたものとする。
【００５９】
次に、この検索キーワード「宅配ピザ」に基づいてインタフェース部１１で検索要求操作が行われると、ブラウザ機能部１３から宅内装置２０に当該ユーザ端末１０のＩＰ電話発信時の発信元電話番号要求が送信される（Ｓ１５）。
【００６０】
宅内装置２０では、ユーザ端末１０から発信元電話番号要求が受信されると、ＩＰ電話アダプタ機能部２１に記憶されている当該ユーザ端末１０の発信元電話番号「046-859-xxxx」がユーザ端末１０に返信され、ユーザ端末１０で取得される（Ｓ１６）。
【００６１】
ユーザ端末１０が宅内装置２０から自端末の発信元電話番号を取得する際は、ＨＴＴＰ（HyperText Transfer Protocol）、ＳＩＰ（Session Initiation Protocol）等のプロトコルで受け渡されるようにしてもよいし、ＤＨＣＰ（Dynamic Host Configuration Protocol）を独自拡張して引き渡されるようにしてもよい。図６に、ＤＨＣＰによってＨＧＷから引き渡される発信元電話番号を含む情報の一例を示す。また図７に、ＨＴＴＰ等によって受け渡される発信元電話番号を含むＰＯＳＴ情報の一例を示す。
【００６２】
また図６、図７以外にも、可能であれば市外局番、市内局番を引き渡しても処理可能であるが、市外局番、市内局番については番号計画が変わる場合にユーザ端末側で変更前後の番号を一致させることが困難になる場合があり、またＩＰ電話においてはフルセットで保持して処理していることもあるため、本実施形態においてはユーザ端末側で市外局番、市内局番を取得することは行わず、変更があった場合にはネット電話帳側でメンテナンスしていくことを想定している。
【００６３】
検索元のユーザ端末１０では、発信元電話番号「046-859-xxxx」が取得されると、ステップＳ１４で入力された検索キーワード「宅配ピザ」とともにこの発信元電話番号「046-859-xxxx」を含む検索要求が電話番号検索サーバ４０宛てに送信される（Ｓ１７）。
【００６４】
電話番号検索サーバ４０では、受信された検索要求が第２ネットワーク通信部４２を介して結果情報生成部４４で取得される。
【００６５】
結果情報生成部４４では当該検索要求に含まれる検索キーワード「宅配ピザ」に合致する電話番号がネット電話帳情報記憶部４１から抽出される（Ｓ１８）。また抽出された各電話番号に関し、発着信履歴記憶部４３に記憶された発着信履歴情報が参照されて、ユーザ端末１０の発信元電話番号「046-859-xxxx」を検索元電話番号とし、これに基づいて所定の条件でログ情報の数が集計される（Ｓ１９）。
【００６６】
本実施形態において検索元電話番号に基づいてログ情報の数が集計されるときの例について、図８および９を参照して説明する。
【００６７】
図８では、検索キーワード「宅配ピザ」に合致する電話番号が、左上欄に示すように９件（『046-859-aaaa（○○ピザ  aa店）』、『046-859-bbbb（△△ピザ  bb店）』、『011-aaa-pppp（□□ピザ  pp店）』、『046-859-cccc（××ピザ  cc店）』、『046-851-dddd（○○ピザ  dd店）』、『03-cccc-rrrr（□□ピザ  rr店）』、『046-852-eeee（××ピザ  ee店）』、『046-812-ffff（○○ピザ  ff店）』、『046-823-gggg（△△ピザ  gg店）』）抽出されている。また、検索元電話番号として、「046-859-xxxx」が取得されている。
【００６８】
これらに基づいて、まず検索キーワードに基づいて抽出された複数の電話番号（ここでは９件）から、検索元電話番号「046-859-xxxx」に、６桁〜２桁前方一致する電話番号が桁数ごとに抽出される。
【００６９】
図８の例では、検索元電話番号「046-859-xxxx」に６桁前方一致する電話番号として『046-859-aaaa（○○ピザ  aa店）』、『046-859-bbbb（△△ピザ  bb店）』、『046-859-cccc（××ピザ  cc店）』が抽出され、５桁前方一致する電話番号として『046-851-dddd（○○ピザ  dd店）』、『046-852-eeee（××ピザ  ee店）』、４桁前方一致する電話番号として『046-812-ffff（○○ピザ  ff店）』、『046-823-gggg（△△ピザ  gg店）』が抽出されている。
【００７０】
次に、検索キーワード「宅配ピザ」に合致し且つ検索元電話番号「046-859-xxxx」に２桁以上前方一致している各電話番号に関しそれぞれ、当該電話番号を発信先とするログ情報が発着信履歴記憶部４３からすべて抽出される。
【００７１】
例えば、検索元電話番号「046-859-xxxx」に６桁前方一致した電話番号『046-859-aaaa（○○ピザ  aa店）』に関しては、図８右下に示すように、ログ情報『from 046-859-yyyy  to 046-859-aaaa』、『from 046-851-zzzz  to 046-859-aaaa』、『from 046-812-cccc to 046-859-aaaa』、『from 04-abcd-efgh  to 046-859-aaaa』が抽出されたものとする。
【００７２】
次に、検索キーワードに合致し且つ検索元電話番号に２桁以上前方一致している各電話番号に関して抽出されたログ情報の、発信先情報（図３においてタグ＜To＞＜/To＞で囲まれた電話番号）と発信元情報（図３においてタグ＜From＞＜/From＞で囲まれた電話番号）とが６桁〜２桁前方一致する電話番号が発着信履歴記憶部４３から抽出され、桁数ごとに集計される。ここで集計された情報を、第１ログ集計情報とする。
【００７３】
例えば、上述したように電話番号『046-859-aaaa（○○ピザ  aa店）』に関し抽出されたログ情報から、発信先情報（Toタグ）と発信元情報（Fromタグ）とが６桁前方一致するログ情報として『from 046-859-yyyy  to 046-859-aaaa』が抽出され、５桁前方一致するログ情報としてさらに『from 046-851-zzzz  to 046-859-aaaa』が抽出され、４桁前方一致するログ情報としてさらに『from 046-812-cccc to 046-859-aaaa』が抽出され、２桁前方一致するログ情報としてさらに『from 04-abcd-efgh  to 046-859-aaaa』が抽出され、第１ログ情報として集計される。
【００７４】
この第１ログ集計情報において、一致する桁数が多いログ情報の集計数が多い程、当該電話番号（例えば「046-859-aaaa」）のお店等に地理的に近い場所の人が多く発信していることがわかる。
【００７５】
さらに、検索キーワードに基づいて抽出された各電話番号に関して抽出されたログ情報の、発信元電話番号（図３においてタグタグ＜From＞＜/From＞で囲まれた電話番号）と検索元電話番号「046-859-xxxx」とが６桁〜２桁前方一致する電話番号が発着信履歴記憶部４３から抽出され、桁数ごとに集計される。ここで集計された情報を、第２ログ集計情報とする。
【００７６】
例えば、上述したように電話番号『046-859-aaaa（○○ピザ  aa店）』に関し抽出されたログ情報から、発信元情報（Fromタグ）と検索元電話番号「046-859-xxxx」とが６桁前方一致するログ情報として『from 046-859-yyyy  to 046-859-aaaa』が抽出され、５桁前方一致するログ情報としてさらに『from 046-851-zzzz  to 046-859-aaaa』が抽出され、４桁前方一致するログ情報としてさらに『from 046-812-cccc to 046-859-aaaa』が抽出され、２桁前方一致するログ情報としてさらに『from 04-abcd-efgh  to 046-859-aaaa』が抽出され、第２ログ情報として集計される。
【００７７】
この第２ログ集計情報において、一致する桁数が多いログ情報の集計数が多い程、検索者に地理的に近い場所の人が多く発信していることがわかる。
【００７８】
このようにして集計された、検索キーワードに合致し且つ検索元電話番号に２桁以上前方一致している各電話番号ごとの、第１ログ情報および第２ログ情報の例を図９に示す。図９では、検索元電話番号「046-859-xxxx」に前方一致する桁数が多い順に、検索キーワードに基づいて抽出された電話番号情報が並べられ、各電話情報に対応する第１ログ集計および第２ログ集計情報を示す検索結果情報が生成される。
【００７９】
図９では、検索キーワードに基づいて抽出された電話番号が、検索元電話番号「046-859-xxxx」に６桁前方一致する電話番号「046-859-aaaa」、および「046-859-bbbb」・・・、５桁前方一致する電話番号「046-851-dddd」・・・、４桁一致する電話番号「046-812-ffff」・・・の順で最左欄に示されている。
【００８０】
また、電話番号「046-859-aaaa」に関し、第１ログ集計情報として、発信先情報と発信元情報とが６桁以上前方一致するログ情報数が３個、５桁以上前方一致するログ情報数が５個、４桁以上桁前方一致するログ情報数が１０個、３桁以上桁前方一致するログ情報数が１０個、２桁以上桁前方一致するログ情報数が１００個であることが示されている。
【００８１】
また、電話番号「046-859-aaaa」に関し、第２ログ集計情報として、発信元情報と検索元電話番号「046-859-xxxx」とが６桁以上前方一致するログ情報数が３個、５桁以上前方一致するログ情報数が５個、４桁以上桁前方一致するログ情報数が１０個、３桁以上桁前方一致するログ情報数が１０個、２桁以上桁前方一致するログ情報数が１００個であることが示されている。
【００８２】
同様に、他の最左欄の電話番号に関しても、第１ログ情報および第２ログ情報が示されている。
【００８３】
このようにして結果情報生成部４４で生成された検索結果の一覧表情報が、宅内装置２０を介してユーザ端末１０に送信される（Ｓ２０）。
【００８４】
ユーザ端末１０では、受信された検索結果の一覧表情報が表示される（Ｓ２１）。
【００８５】
ユーザは、表示された、所望のキーワードに該当する複数の電話番号の中から、第１集計情報および第２集計情報を参考にして発信先の信頼性を判断し、発信する相手を選択することができる。
【００８６】
ユーザにより一覧表が参照され、発信先としての電話番号が選択されると、ＩＰ電話機能部１２により発信が要求され、宅内装置のＩＰ電話アダプタ機能部２１で発信処理が実行されて、第１ネットワーク通信部２２、ＩＰネットワーク３０を介して当該発信先の電話端末（図示せず）へ発呼される。
【００８７】
本実施形態の利用シーンとしては、家という単位において、修理工事業者を選択したり、専門医師を探したり、宅配型の飲食サービスを受けたりする場合が想定される。これらの情報は、飲食店、レジャー設備型の検索に比べて家から近いことが強みを発揮すること、口コミ情報が集まりにくいことから、本実施形態のような位置情報を考慮した客観的な評価情報の提供が有効である。
【００８８】
以上の本実施形態によれば、ネットワーク上の電話帳情報を利用してユーザの指示に基づいて電話番号検索を行った際に、検索により抽出された発信先に関し、当該ユーザの端末に地理的に近い発信者からの発信数や、発信先に地理的に近い発信者からの発信数など、他人も含めて位置情報を考慮した評価情報をユーザによる煩雑な操作なく提供することが可能になる。
【００８９】
このように電話番号体系を利用した検索を可能にすることで、ＧＰＳ機能を搭載していないユーザ端末においても、固定回線をベースとした電話発信において位置情報を考慮した検索結果を、評価情報とともに得ることができる。
【００９０】
上述した第１実施形態および第２実施形態においては、検索結果情報として、検索キーワードに基づいて抽出された電話番号情報ごとの、通話履歴に関する数を計数して当該電話番号情報に対応させる場合について説明したが、通話履歴情報から各通話の通話時間を算出し、電話番号情報ごとの通話履歴に関する積算時間を検索結果情報に含めるようにしてもよい。
【００９１】
また上述した第１実施形態および第２実施形態において、ブラウザからネット電話帳の検索結果の電話番号をクリックすることで、ブラウザ上位のＩＰ電話アダプタ／ルータ側にコマンドを発信し、自動的に電話通信を発呼する機能や、サーバ側から発呼する機能、例えばＣｌｉｃｋ Ｔｏ Ｐｈｏｎｅ機能等と連携させてもよい。
【符号の説明】
【００９２】
１、２…電話番号検索システム
１０…ユーザ端末
１１…インタフェース部
１２…ＩＰ電話機能部
１３…ブラウザ機能部
２０…宅内装置
２１…ＩＰ電話アダプタ機能部
２２…第１ネットワーク通信部
２３…ログ情報記憶部
３０…ＩＰネットワーク
４０…電話番号検索サーバ
４１…ネット電話帳情報記憶部
４２…第２ネットワーク通信部
４３…発着信履歴記憶部
４４…結果情報生成部
【図１】
0005851940.tif 000002
【図２】
0005851940.tif 000003
【図３】
0005851940.tif 000004
【図４】
0005851940.tif 000005
【図５】
0005851940.tif 000006
【図６】
0005851940.tif 000007
【図７】
0005851940.tif 000008
【図８】
0005851940.tif 000009
【図９】
0005851940.tif 000010